(57)【要約】【課題】ユーザが求める地図を見やすい形で出力できる画像形成装置を提供する。【解決手段】画像形成装置はユーザにより指定された地域の地理的情報が載った基本地図を表示し（Ｓ１０２０）、基本地図に付加する付加情報をユーザに選択させる。付加情報が選択されると（Ｓ１０３０）、画像形成装置は選択された付加情報を基本地図に表示する（Ｓ１０４０）。基本地図に付加情報が表示されたカスタム地図を複数枚の記録用紙に分割して印刷する場合、画像形成装置はユーザにより指定された地点以外の位置で地図を分割し（Ｓ１０８０）、分割した地図の地図データを印刷出力する（Ｓ１１００）。【選択図】図４
2015141268.tif 000002
【特許請求の範囲】
【請求項１】
表示装置と、
ユーザによる地点の指定を受付けるための受付手段と、
前記受付手段が受付けた地点及び当該地点の周辺の地理的情報が載った基本地図を表示するよう前記表示装置の表示を制御するための第１の表示制御手段と、
前記基本地図に付加する付加情報をユーザに選択させるための選択手段と、
前記選択手段を介して選択された付加情報を前記基本地図に表示するよう前記表示装置の表示を制御するための第２の表示制御手段と、
前記基本地図に付加情報が表示されたカスタム地図を複数枚の記録用紙に分割して印刷するために、前記カスタム地図を、ユーザにより指定された前記地点以外の位置で分割するための分割手段と、
前記分割手段によって分割された地図の地図データを出力するための出力手段とを含む、情報処理装置。
【請求項２】
前記付加情報は、店舗情報、観光情報、及び前記基本地図に対して縮尺が変更された縮尺別の地図の少なくとも１つを含み、
前記第２の表示制御手段は、前記店舗情報、前記観光情報、及び前記縮尺別の地図の少なくとも１つを前記基本地図に付加するよう、前記表示装置の表示を制御するための手段を含む、請求項１に記載の情報処理装置。
【請求項３】
前記選択手段を介して選択された前記付加情報に応じて課金するための手段をさらに含む、請求項１又は請求項２に記載の情報処理装置。
【請求項４】
前記分割手段は、
ユーザにより指定された地点を含む矩形状の領域を設定するための手段と、
分割された前記カスタム地図の一部に前記矩形状の領域が含まれるように当該カスタム地図を分割するための手段とを含む、請求項１〜請求項３のいずれかの記載の情報処理装置。
【請求項５】
前記分割手段は、複数枚の同一用紙サイズの記録用紙に分割して印刷されるように、前記カスタム地図を分割する、請求項１〜請求項４のいずれかに記載の情報処理装置。
【請求項６】
前記分割手段は、異なる用紙サイズの記録用紙を含む複数枚の記録用紙に分割して印刷されるように、前記カスタム地図を分割する、請求項１〜請求項４のいずれかに記載の情報処理装置。
【請求項７】
前記複数枚の記録用紙に対して、ユーザによる用紙サイズの指定を受付けるための手段をさらに含む、請求項６に記載の情報処理装置。
【請求項８】
前記第１の表示制御手段は、複数の前記基本地図を表示するよう前記表示装置の表示を制御するための手段を含み、
前記第２の表示制御手段は、複数の前記基本地図に対して異なる付加情報を表示するよう前記表示装置の表示を制御するための手段を含む、請求項１に記載の情報処理装置。
【請求項９】
ユーザによる前記カスタム地図の分割方法の指定を受付けるための分割方法受付手段をさらに含み、
前記分割手段は、前記分割方法受付手段が受付けた分割方法に基づいて、前記カスタム地図を分割するための手段を含む、請求項１に記載の情報処理装置。
【請求項１０】
前記カスタム地図の分割方法をユーザに提案するための手段をさらに含む、請求項９に記載の情報処理装置。
【請求項１１】
前記カスタム地図に広告情報を付加するための手段をさらに含む、請求項１〜請求項１０のいずれかに記載の情報処理装置。
【請求項１２】
請求項１〜請求項１１のいずれかに記載の情報処理装置と、
前記情報処理装置から出力された前記地図データに基づいて、前記カスタム地図の画像を複数枚の記録用紙に分割して形成するための画像形成手段とを含む、画像形成装置。
【発明の詳細な説明】
【技術分野】
【０００１】
本発明は、情報処理装置、及び画像形成装置に関し、特に、地図情報を処理する情報処理装置、及びその情報処理装置を含む画像形成装置に関する。
【背景技術】
【０００２】
パーソナルコンピュータ、タブレット端末等の情報処理端末では電子データ化された地図を表示することが可能である。情報処理端末に表示された地図は印刷装置を用いて記録用紙に印刷できる。そのため、外出時に地図を携行する場合は印刷された地図を携行することが多い。
【０００３】
一方、タブレット端末等の携帯型の情報処理装置であれば、当該情報処理装置を携行することにより外出先でも地図を閲覧することが可能である。この場合、地図データを印刷する必要がない。しかし、こうした情報処理装置は紙の地図に比べて携行性に劣る。情報処理装置の表示画面が小さい場合は、閲覧性においても紙の地図に劣る。そのため、紙の地図の需要は依然として高い。
【０００４】
さらに近年では、コンビニエンスストアの店頭に設置された複合機を用いて、地図データを印刷するサービスも提供されている。こうしたサービスを活用することにより、外出先でも必要な地図を取得できる。
【０００５】
地図データを記録用紙に印刷する場合、印刷する地域の範囲及び縮尺等によっては地図のサイズ（印刷サイズ）が大きくなり過ぎて１枚の記録用紙に印刷できないことがある。後掲の特許文献１は、記録用紙をはるかに上回る大きさの地図を複数枚の記録用紙に分割して印刷するプリンターを提案する。このプリンターは、複数枚に分割して印刷した後にその印刷物を結合させて使用する際に、各印刷物の位置関係を把握し易くするために各記録用紙の上下左右の各々の端にインデックスを印刷する。
【先行技術文献】
【特許文献】
【０００６】
【特許文献１】特開２００６−４０２１８号公報
【発明の概要】
【発明が解決しようとする課題】
【０００７】
ここで、従来の地図は予め決まった情報のみが表示されている。ユーザが求める地図が存在しない場合、ユーザ自身が複数の地図を見比べる必要がある。例えば観光地及び店舗の情報と道路地図の情報とを同時に確認したい場合、ユーザはフォーマットの異なる観光マップと道路地図とを見比べて判断しなければならない。こうした作業は煩雑でありユーザに対してストレスを与えるという問題がある。
【０００８】
特許文献１のプリンターでは、記録用紙にインデックスを印刷するという機能が付加されているものの、このプリンターで用いられる印刷データ（地図データ）は、従来と同様、予め決まった情報のみを表示するものである。そのため、特許文献１に記載の技術ではこうした問題は解決できない。
【０００９】
さらに従来の技術では、１つの地図を複数枚の記録用紙に分割して印刷する場合、分割の仕方如何によっては地図が見にくくなるという問題もある。特許文献１に記載の技術ではこうした問題も解決できない。
【００１０】
本発明は、上記のような課題を解決するためになされたものであり、本発明の１つの目的は、ユーザが求める地図を見やすい形で出力できる情報処理装置及び画像形成装置を提供することである。
【課題を解決するための手段】
【００１１】
上記目的を達成するために、本発明の第１の局面に係る情報処理装置は、表示装置と、ユーザによる地点の指定を受付けるための受付手段と、受付手段が受付けた地点及び当該地点の周辺の地理的情報が載った基本地図を表示するよう表示装置の表示を制御するための第１の表示制御手段と、基本地図に付加する付加情報をユーザに選択させるための選択手段と、選択手段を介して選択された付加情報を基本地図に表示するよう表示装置の表示を制御するための第２の表示制御手段と、基本地図に付加情報が表示されたカスタム地図を複数枚の記録用紙に分割して印刷するために、カスタム地図を、ユーザにより指定された地点以外の位置で分割するための分割手段と、分割手段によって分割された地図の地図データを出力するための出力手段とを含む。
【００１２】
情報処理装置は、ユーザにより指定された地点及び当該地点の周辺の地理的情報が載った基本地図を表示装置に表示する。情報処理装置は、基本地図に付加する付加情報をユーザに選択させ、選択された付加情報を基本地図に表示する。これにより、ユーザの好みに合わせてカスタマイズされたカスタム地図を表示できる。情報処理装置はさらに、表示されたカスタム地図を複数枚の記録用紙に分割して印刷するために、カスタム地図を、ユーザにより指定された地点以外の位置で分割してその地図データを出力する。
【００１３】
本情報処理装置によれば、ユーザが求める地図をカスタム地図として当該ユーザに提供できる。ユーザは、フォーマットの異なる複数の地図を見比べる必要がないので、そうした作業に起因するストレスの発生を抑制できる。さらに、表示されたカスタム地図を複数枚の記録用紙に分割して印刷する際に、ユーザにより指定された地点で分割されないため、よみ見やすい形でカスタム地図を印刷できる。
【００１４】
好ましくは、付加情報は、店舗情報、観光情報、及び基本地図に対して縮尺が変更された縮尺別の地図の少なくとも１つを含み、第２の表示制御手段は、店舗情報、観光情報、及び縮尺別の地図の少なくとも１つを基本地図に付加するよう、表示装置の表示を制御するための手段を含む。
【００１５】
より好ましくは、情報処理装置は、選択手段を介して選択された付加情報に応じて課金するための手段をさらに含む。
【００１６】
さらに好ましくは、分割手段は、ユーザにより指定された地点を含む矩形状の領域を設定するための手段と、分割されたカスタム地図の一部に矩形状の領域が含まれるように当該カスタム地図を分割するための手段とを含む。
【００１７】
さらに好ましくは、分割手段は、複数枚の同一用紙サイズの記録用紙に分割して印刷されるように、カスタム地図を分割する。
【００１８】
さらに好ましくは、分割手段は、異なる用紙サイズの記録用紙を含む複数枚の記録用紙に分割して印刷されるように、カスタム地図を分割する。
【００１９】
この場合において、好ましくは、情報処理装置は、複数枚の記録用紙に対して、ユーザによる用紙サイズの指定を受付けるための手段をさらに含む。
【００２０】
さらに好ましくは、第１の表示制御手段は、複数の基本地図を表示するよう表示装置の表示を制御するための手段を含み、第２の表示制御手段は、複数の基本地図に対して異なる付加情報を表示するよう表示装置の表示を制御するための手段を含む。
【００２１】
さらに好ましくは、ユーザによるカスタム地図の分割方法の指定を受付けるための分割方法受付手段をさらに含み、分割手段は、分割方法受付手段が受付けた分割方法に基づいて、カスタム地図を分割するための手段を含む。
【００２２】
この場合において、好ましくは、情報処理装置は、カスタム地図の分割方法をユーザに提案するための手段をさらに含む。
【００２３】
さらに好ましくは、情報処理装置は、カスタム地図に広告情報を付加するための手段をさらに含む。
【００２４】
本発明の第２の局面に係る画像形成装置は、上記第１の局面に係る情報処理装置と、この情報処理装置から出力された地図データに基づいて、カスタム地図の画像を複数枚の記録用紙に分割して形成するための画像形成手段とを含む。
【発明の効果】
【００２５】
以上より、本発明によれば、ユーザが求める地図を見やすい形で出力できる情報処理装置及び画像形成装置を得ることができる。
【図面の簡単な説明】
【００２６】
【図１】本発明の第１の実施の形態に係る画像形成装置の外観を示す斜視図である。
【図２】操作パネルに表示されるメニュー画面の一例を示す図である。
【図３】図１に示す画像形成装置のハードウェア構成を示す制御ブロック図である。
【図４】図１に示す画像形成装置で実行されるプログラムの制御構造を示すフローチャートである。
【図５】操作パネルに表示される操作画面の一例を示す図である。
【図６】基本地図の一例を示す図である。
【図７】操作パネルに表示される選択画面の一例を示す図である。
【図８】基本地図に店舗情報を付加したカスタム地図の一例を示す図である。
【図９】基本地図に観光情報を付加したカスタム地図の一例を示す図である。
【図１０】図４のステップＳ１０８０の詳細なフローである。
【図１１】カスタム地図の分割方法の一例を示す図である。
【図１２】カスタム地図の分割方法の他の例を示す図である。
【図１３】カスタム地図の分割方法の他の例を示す図である。
【図１４】出力サイズが変更された後の地図の一例を示す図である。
【図１５】印刷出力されたカスタム地図の一例を示す図である。
【図１６】印刷出力されたカスタム地図の他の例を示す図である。
【図１７】本発明の第２の実施の形態に係る画像形成装置のハードウェア構成を示す制御ブロック図である。
【図１８】本発明の第５の実施の形態に係る情報処理装置を示す図である。
【発明を実施するための形態】
【００２７】
以下の実施の形態では、同一の部品には同一の参照番号を付してある。それらの機能及び名称も同一である。したがって、それらについての詳細な説明は繰返さない。
【００２８】
（第１の実施の形態）
図１を参照して、本実施の形態に係る画像形成装置１００は、例えば、コピー機能、プリント機能、及びスキャナ機能等を備える複合機（ＭＦＰ：Ｍｕｌｔｉｆｕｎｃｔｉｏｎ  Ｐｅｒｉｐｈｅｒａｌ）である。この画像形成装置１００は、コンビニエンスストア等の店舗に設置され、利用者（ユーザ）に対してコピーサービス、プリントサービス等の各種サービスを提供する。こうしたサービスの１つとして、画像形成装置１００は地図データのプリントサービスを提供する。なお、画像形成装置１００は、レーザー光を露光に利用する、所謂レーザー方式（電子写真方式）の印刷機能を備える。しかし、他の形式の印刷機能を備えたものであってもよい。
【００２９】
［全体構成］
画像形成装置１００は、装置本体１１０と、装置本体１１０の側方に設置された課金装置２００とを含む。装置本体１１０の上部には、原稿が載置される透明ガラスからなる原稿載置台１２０が設けられている。原稿載置台１２０の下方には、原稿の画像情報を読取る原稿読取部１３０が配置されている。原稿読取部１３０の前方には、操作部１４０が設置されている。操作部１４０は、利用者が、画像形成装置１００に対して指示を入力するための操作パネル１４２を含む。この操作パネル１４２は指示の入力及び情報の表示等を行なうタッチパネルディスプレイからなる。
【００３０】
原稿読取部１３０の下方には、画像データによって示される画像を記録用紙に印刷するための画像形成部１５０が設けられている。画像形成部１５０の下側には、当該画像形成部１５０に対して記録用紙を給紙するための給紙部１６０が設けられている。この給紙部１６０は、記録用紙を収納する複数の給紙トレイ１６２〜１６８を含む。
【００３１】
課金装置２００は硬貨及び紙幣を投入することが可能なコインベンダーからなる。画像形成装置１００は、課金装置２００に投入された料金に応じたサービスを提供する。
【００３２】
図２を参照して、操作パネル１４２にはメニュー画面３００が表示される。メニュー画面３００には、提供可能なサービスを選択するためのボタンが表示されている。これらのボタンには、地図データのプリントサービスを選択するための地図プリント選択ボタン３１０が含まれる。利用者によって地図プリント選択ボタン３１０が操作されると、操作パネル１４２の画面が地図データのプリントサービスを提供するための画面に遷移する。
【００３３】
本実施の形態では、画像形成装置１００は、地図プリント選択ボタン３１０が操作されたことに応答して、地図データのプリントサービスを提供するモード（以下「地図モード」と呼ぶことがある。）に移行する。この地図モードでは、画像形成装置１００は、利用者による操作パネル１４２の操作に応じて当該利用者のニーズに合わせてカスタマイズされたカスタム地図を作成する処理を実行する。画像形成装置１００は、利用者によって印刷開始の指示がされると作成したカスタム地図を印刷出力する。作成したカスタム地図が、給紙部１６０（給紙トレイ１６２〜１６８）に収納されている記録用紙の最大用紙サイズより大きい場合、画像形成装置１００はカスタム地図を複数枚の記録用紙に分割して印刷する。その際、画像形成装置１００は、利用者によって指定された地点以外の位置で当該カスタム地図を分割する。
【００３４】
なお、提供可能なサービスを選択するためのボタンは、地図プリント選択ボタン３１０に加えて、例えばコピー選択ボタン３１２、ファックス選択ボタン３１４、写真サービス選択ボタン３１６、プリント選択ボタン３１８、及びスキャン選択ボタン３２０等を含む。利用者によってコピー選択ボタン３１２が操作されると、操作パネル１４２の画面はコピーサービスを提供するための画面に遷移する。ファックス選択ボタン３１４が操作されると、操作パネル１４２の画面はファックスサービスを提供するための画面に遷移し、写真サービス選択ボタン３１６が操作されると、操作パネル１４２の画面は写真のプリントサービスを提供するための画面に遷移する。プリント選択ボタン３１８が操作されると、操作パネル１４２の画面はプリントサービスを提供するための画面に遷移し、スキャン選択ボタン３２０が操作されると、操作パネル１４２の画面はスキャンサービスを提供するための画面に遷移する。
【００３５】
［ハードウェア構成］
図３を参照して、画像形成装置１００は、上記した課金装置２００、原稿読取部１３０、操作部１４０、画像形成部１５０、及び給紙部１６０に加えて、制御部１７０、画像処理部１８０及びＮＩＣ（Ｎｅｔｗｏｒｋ  Ｉｎｔｅｒｆａｃｅ  Ｃａｒｄ）１９０を含む。画像形成装置１００は、地図モードにおいては、地図情報を処理する情報処理装置としての機能と、この処理によって得られたデータ（地図データ）を印刷出力する印刷装置としての機能とを持つ。すなわち、画像形成装置１００は地図情報を処理する情報処理装置を含む。この情報処理装置は少なくとも上記制御部１７０を含む。
【００３６】
制御部１７０は、実質的にコンピュータであって、画像形成装置１００全体を制御するＣＰＵ（Ｃｅｎｔｒａｌ  Ｐｒｏｃｅｓｓｉｎｇ  Ｕｎｉｔ）１７２、プログラム等を記憶するためのＲＯＭ（Ｒｅａｄ  Ｏｎｌｙ  Ｍｅｍｏｒｙ）１７４、揮発性の記憶装置であるＲＡＭ（Ｒａｎｄｏｍ  Ａｃｃｅｓｓ  Ｍｅｍｏｒｙ）１７６、及び記憶装置１７８を含む。記憶装置１７８は、通電が遮断された場合にもデータを保持する不揮発性記憶装置であり、ハードディスクドライブ（ＨＤＤ）又はフラッシュメモリ等である。ＣＰＵ１７２には、ＢＵＳライン１９２が接続されており、このＢＵＳライン１９２には、ＲＯＭ１７４、ＲＡＭ１７６及び記憶装置１７８が電気的に接続される。
【００３７】
ＣＰＵ１７２は、操作部１４０等からの指示に応じて各種コンピュータプログラムを実行することによって、画像形成装置１００の各部の動作及びサーバ装置等の外部装置との通信等の所望の処理を実行する。上記の各種コンピュータプログラムは、予めＲＯＭ１７４又は記憶装置１７８に記憶されており、所望の処理の実行時において、当該ＲＯＭ１７４又は記憶装置１７８から読出されてＲＡＭ１７６に転送される。ＣＰＵ１７２は、ＣＰＵ１７２内の図示しないプログラムカウンタと呼ばれるレジスタに格納された値によって指定される、ＲＡＭ１７６内のアドレスからプログラムの命令を読出し、解釈する。ＣＰＵ１７２はまた、読出された命令によって指定されるアドレスから演算に必要なデータを読出し、そのデータに対し命令に対応する演算を実行する。実行の結果も、ＲＡＭ１７６、記憶装置１７８及びＣＰＵ１７２内のレジスタ等の、命令によって指定されるアドレスに格納される。
【００３８】
記憶装置１７８には、画像形成装置１００の一般的な動作を実現するためのコンピュータプログラムが記憶される。このコンピュータプログラムは、ネットワーク５０及びＮＩＣ１９０を介して、外部装置等から提供される。なお、このコンピュータプログラムは、そのコンピュータプログラムが記録された、例えばＤＶＤ等の記憶媒体によって提供されてもよい。すなわち、例えばコンピュータプログラムの記録媒体としてのＤＶＤが、画像形成装置１００内に内蔵されるＤＶＤドライブ（図示せず。）に装着され、そのＤＶＤからコンピュータプログラムが読出されて記憶装置１７８にインストールされてもよい。
【００３９】
記憶装置１７８はさらに、基本となる地図のデータ及びそのデータに情報を付加するための種々の付加情報を記憶する。基本となる地図のデータは、地理的情報のみが載った基本地図のデータである。基本地図は例えば住宅地図等である。付加情報は、例えば店舗情報、観光情報、及び、基本地図に対して縮尺が変更された縮尺別の地図を含む。これらの付加情報は、基本地図に付加できる形で記憶装置１７８に記憶されている。
【００４０】
ＢＵＳライン１９２には、さらに、原稿読取部１３０、画像処理部１８０、画像形成部１５０、給紙部１６０、ＮＩＣ１９０、操作部１４０及び課金装置２００が電気的に接続される。
【００４１】
原稿読取部１３０は、スキャナ及びＣＣＤ（Ｃｈａｒｇｅ−Ｃｏｕｐｌｅｄ  Ｄｅｖｉｃｅ）ラインセンサ（以上いずれも図示せず。）を含む。スキャナは、原稿載置台１２０上に載置された原稿の画像表面に対し光源（図示せず。）から光を照射することによって得られる反射光像をＣＣＤラインセンサ上に結像させ、光源を移動させながら原稿をスキャンする。ＣＣＤラインセンサは、結像した反射光像を順次光電変換して画像データとして画像処理部１８０に対して出力する。すなわち、原稿読取部１３０は、原稿のコピー時又はスキャン時に、原稿載置台１２０に載置される原稿からスキャナによって画像情報を読取り、読取った画像情報をＣＣＤラインセンサによって電気信号に変換して画像データとして画像処理部１８０に対して出力する。
【００４２】
画像処理部１８０は、ＭＰＵ（Ｍｉｃｒｏ  Ｐｒｏｃｅｓｓｉｎｇ  Ｕｎｉｔ、図示せず。）を含む。画像処理部１８０は、原稿読取部１３０、又は、外部装置等から受信した画像データに対して、例えば、ラスタライズ処理等の所定の画像処理を含む各種処理を施して所定の階調の印刷データを作成し、画像形成部１５０に対して出力する。
【００４３】
画像形成部１５０は、画像データ（地図データを含む。）によって示される画像をカラー又は単色で記録用紙に印刷するものであって、例えば、感光体ドラム、帯電装置、レーザースキャンユニット（ＬＳＵ）、現像装置、転写装置、クリーニング装置、定着装置、及び除電装置等を備えている。画像形成部１５０には、例えば、搬送路が設けられており、給紙部１６０から給紙されてきた記録用紙が搬送路に沿って搬送される。
【００４４】
給紙部１６０は、複数の給紙トレイ１６２〜１６８を含む。給紙部１６０は、給紙トレイ１６２〜１６８に収納された記録用紙を１枚ずつ引出して記録用紙を画像形成部１５０の搬送路へと送り出す。画像形成部１５０の搬送路に沿って記録用紙が搬送されている途中で、記録用紙が感光体ドラムと転写装置との間を通過し、さらに定着装置を通過して、記録用紙に対する印刷が行なわれる。
【００４５】
感光体ドラムは、一方向に回転し、その表面は、クリーニング装置と除電装置によりクリーニングされた後、帯電装置により均一に帯電される。レーザースキャンユニットは、印刷対象の画像データに基づいてレーザー光を変調し、このレーザー光によって感光体ドラムの表面を主走査方向に繰返し走査して、静電潜像を感光体ドラムの表面に形成する。現像装置は、トナーを感光体ドラムの表面に供給して静電潜像を現像し、トナー像を感光体ドラムの表面に形成する。転写装置は、転写装置と感光体ドラムとの間を通過していく記録用紙に感光体ドラムの表面のトナー像を転写する。
【００４６】
定着装置は、記録用紙を加熱するための加熱ローラと、記録用紙を加圧するための加圧ローラとを含む。記録用紙は、加熱ローラによって加熱され、かつ、加圧ローラによって加圧されることによって、記録用紙上に転写されたトナー像が記録用紙に定着される。定着装置から排出された（印刷された）記録用紙は排紙トレイに排出される。
【００４７】
ＮＩＣ１９０は、ネットワーク５０とのインターフェイスをとる。画像形成装置１００は、このＮＩＣ１９０を介して、ネットワーク５０上の外部装置等と、所定の通信プロトコルに従ったデータ通信を行なうことができる。画像形成装置１００は、ＮＩＣ１９０を介して、外部装置等から印刷ジョブ等の各種処理の実行を命令する命令信号を受信できる。
【００４８】
操作部１４０は操作パネル１４２を含み、この操作パネル１４２はタッチパネルディスプレイからなる。タッチパネルディスプレイは、表示パネルとタッチパネルとを含む。表示パネルは、画像形成装置１００の状態及び各種処理の状態に関する情報等の各種情報を利用者に提供する。このタッチパネルディスプレイはまた、利用者に対して対話的な操作インターフェイス（ユーザインターフェイス）を提供する。この対話的な操作インターフェイスは、タッチパネルから画像形成装置１００全体の動作に対する利用者の指示を受付け、その指示の内容を表示パネルに表示するとともに、その指示に応じた制御信号を制御部１７０又は画像処理部１８０に対して出力する。
【００４９】
［ソフトウェア構成］
図４を参照して、地図データのプリントサービスを提供するために、画像形成装置１００で実行されるコンピュータプログラムの制御構造について説明する。
【００５０】
このプログラムは、図２に示されるメニュー画面３００において、地図プリント選択ボタン３１０が操作されたことに応じて開始する。このプログラムは、操作パネル１４２を制御して当該操作パネル１４２に操作画面を表示させるステップＳ１０００を含む。
【００５１】
図５を参照して、操作パネル１４２に表示される操作画面４００は、所望の地域を指定する領域４１０、その地域の地図の縮尺を指定する領域４２０、及び指定された地域の地図をプレビュー表示する領域４３０を含む。地域の指定は、領域４１０に住所を入力することにより行なうことができる。住所の入力以外に、例えば○○県○○地方といった大まかな指定を行なった後に、画面をタッチ操作することによって細かく設定することも可能である。領域４３０には、指定された地域及び縮尺に基づく地図がプレビュー表示される。
【００５２】
再び図４を参照して、このプログラムはさらに、ステップＳ１０００の後に実行され、地域及び縮尺の指定がされたか否かを判定し、地域及び縮尺の指定がされるまで待機するステップＳ１０１０と、ステップＳ１０１０において、地域及び縮尺の指定がされたと判定された場合に実行され、指定された地域及び縮尺に応じた基本地図を表示するよう操作パネル１４２の表示を制御するステップＳ１０２０と、ステップＳ１０２０の後に実行され、利用者による付加情報の指定が有ったか否かを判定し、判定結果に応じて制御の流れを分岐させるステップＳ１０３０と、ステップＳ１０３０において、付加情報の指定が有ったと判定された場合に実行され、基本地図に付加情報を表示するよう操作パネル１４２の表示を制御するステップＳ１０４０と、ステップＳ１０４０の後に実行され、利用者による付加情報の指定が有ったか否かを判定し、判定結果に応じて制御の流れを分岐させるステップＳ１０５０と、ステップＳ１０３０又はステップＳ１０５０において、付加情報の指定が無いと判定された場合に実行され、地図のサイズを決定するステップＳ１０６０とを含む。ステップＳ１０５０において、付加情報の指定が有ったと判定された場合は、制御はステップＳ１０４０に戻る。
【００５３】
ステップＳ１０２０では、制御部１７０は操作パネル１４２に例えば図６に示すような基本地図を表示させる。ステップＳ１０３０では、制御部１７０は操作パネル１４２に図７に示す選択画面５００を表示させて、この選択画面５００において、基本地図に付加する付加情報を利用者に選択させる。図７を参照して、選択画面５００は、基本地図に種々の付加情報を表示させるボタン５０２〜５０６、及び決定ボタン５１０を含む。ボタン５０２は基本地図に店舗情報を表示させるボタンであり、ボタン５０４は基本地図に観光情報を表示させるボタンであり、ボタン５０６は基本地図に縮尺別の地図を表示させるボタンである。ボタン５０６が操作されると、基本地図に対する縮尺、及び配置位置を設定するための画面（図示せず。）がポップアップ表示される。決定ボタン５１０は、付加情報の設定状態を決定するボタンである。決定ボタン５１０の操作により、基本地図に付加情報が付加された状態、又は付加情報が付加されていない状態が決定される。
【００５４】
図７に示す選択画面５００においてボタン５０２が操作されると、図８に示すように、基本地図に店舗情報が付加される。図７に示す選択画面５００においてボタン５０４が操作されると、図９に示すように、基本地図に観光情報が付加される。図８では、基本地図上に店舗情報として例えば店舗の位置を示すマーク画像等の情報が表示されている。図９では、観光情報として、基本地図上に例えば観光場所（観光地）を示すマーク画像等の情報が表示されている。図７に示す選択画面５００においてボタン５０６が操作されると、基本地図に縮尺別の地図（図示せず。）が表示される。縮尺別の地図は、基本地図の縮尺を変えた、例えば当該基本地図より小さいサイズの地図である。この縮尺別の地図は、例えば基本地図の一部の地域を拡大して詳細に示した地図等を含む。
【００５５】
ステップＳ１０３０及びステップＳ１０５０では、図７に示す選択画面５００においてボタン５０２〜５０６の少なくとも１つが操作されると、付加情報の指定が有ったと判定され、図７に示す選択画面５００において決定ボタン５１０が操作されると、付加情報の指定が無いと判定される。
【００５６】
ステップＳ１０６０では、制御部１７０は地図の縮尺と操作パネル１４２に表示されている地図の範囲とに基づいて地図のサイズを算出する。ステップＳ１０１０で設定された縮尺は、操作パネル１４２上での地図の拡大縮小に連動しない。出力する地図の範囲（出力範囲）は、操作パネル１４２に表示されている範囲、又は利用者によって設定された範囲である。利用者は、操作パネル１４２上での地図の表示を拡大縮小することによって出力する地図の範囲を調整（設定）できる。制御部１７０は、設定された地図の範囲と縮尺とから地図のサイズを決定する。すなわち、制御部１７０は、設定された縮尺で設定された地図の範囲を印刷した場合にどの程度の大きさになるのかを算出し、そのサイズを決定する。
【００５７】
再び図４を参照して、このプログラムはさらに、ステップＳ１０６０の後に実行され、決定された地図のサイズに基づいて、印刷時に当該地図を分割する必要があるか否かを判定し、判定結果に応じて制御の流れを分岐させるステップＳ１０７０と、ステップＳ１０７０において、地図を分割する必要があると判定された場合に実行され、地図の分割処理を実行するステップＳ１０８０と、ステップＳ１０７０において、地図を分割する必要がないと判定された場合、又はステップＳ１０８０の後に実行され、出力サイズが変更されたか否かを判定し、判定結果に応じて制御の流れを分岐させるステップＳ１０９０と、ステップＳ１０９０において、出力サイズが変更されていないと判定された場合に実行され、印刷指示が有ったか否かを判定し、印刷指示があるまで待機するステップＳ１１００と、ステップＳ１１００において、印刷指示が有ったと判定された場合に実行され、画像形成部１５０を制御して地図データの印刷処理を実行させるステップＳ１１１０とを含む。ステップＳ１０９０において、出力サイズが変更されたと判定された場合は、制御はステップＳ１０３０に戻る。ステップＳ１１１０の処理が終了すると、このプログラムは終了する。
【００５８】
ステップＳ１０７０では、決定された地図のサイズが１枚の記録用紙に印刷できるサイズであるか否かに基づいて、当該地図を分割する必要があるか否かを判定する。決定された地図のサイズが１枚の記録用紙に印刷できるサイズである場合、ステップＳ１０７０において当該地図を分割する必要がないと判定される。一方、決定された地図のサイズが１枚の記録用紙に印刷できるサイズでない場合、ステップＳ１０７０において当該地図を分割する必要があると判定される。
【００５９】
ステップＳ１０９０における出力サイズとは最終的に出力するサイズを表す。デフォルトでは、出力サイズは地図のサイズと同じである。ステップＳ１０９０では、出力サイズが地図のサイズより大きいサイズに変更されたか否かを判定する。ただし、出力サイズが地図のサイズより大きいサイズに変更された場合でも基本地図のサイズ自体（地図の縮尺）は変更されない。
【００６０】
図１０は、図４のステップＳ１０８０の詳細なフローである。図１０を参照して、このルーチンは、利用者による地点の指定が有ったか否かを判定し、判定結果に応じて制御の流れを分岐させるステップＳ１２００と、ステップＳ１２００において、地点の指定が無いと判定された場合に実行され、表示されている地図の中心を指定された地点として設定するステップＳ１２１０と、ステップＳ１２００において、地点の指定が有ったと判定された場合、又はステップＳ１２１０の後に実行され、指定された地点を含む最低印刷領域を設定するステップＳ１２２０と、ステップＳ１２２０の後に実行され、最低印刷領域の含まれる面積が最も大きくなるサイズで地図を分割するよう設定するステップＳ１２３０と、ステップＳ１２３０の後に実行され、分割方法が決定されたか否かを判定し、判定結果に応じて制御の流れを分岐させるステップＳ１２４０とを含む。
【００６１】
ステップＳ１２２０では、制御部１７０は、指定された地点又はその地点の近辺で地図が分割されないように、当該指定された地点を含む矩形状の領域を最低印刷領域として設定する。本実施の形態では、最低印刷領域は基本地図のデータ又は付加情報等に予め含まれており、地点が指定されるとその地点を含むように所定の大きさの最低印刷領域が設定される。すなわち、地図自体（地図情報）が最低印刷領域の情報を持つデータ構成になっている。ステップＳ１２３０では、給紙部１６０に収納されている記録用紙との関係において、地図を印刷したときに１枚の記録用紙に含まれる最低印刷領域の面積が最も大きくなるように当該地図が分割される。
【００６２】
ステップＳ１２００では、利用者によって操作パネル１４２に表示された地図の所望の地点がタッチされたか否かが判定される。所望の地点がタッチされた場合、ステップＳ１２００において利用者による地点の指定が有ったと判定される。一方、例えば所望の地点がタッチされない状態で所定の時間が経過した場合、ステップＳ１２００において利用者による地点の指定が無いと判定される。
【００６３】
このルーチンはさらに、ステップＳ１２４０において、分割方法が決定されていないと判定された場合に実行され、最低印刷領域の設定を解除して、利用者の操作に応じて分割する位置を設定するステップＳ１２５０と、ステップＳ１２４０において、分割方法が決定されたと判定された場合、又はステップＳ１２５０の後に実行され、設定された分割位置（分割方法）で地図を分割し、このルーチンを終了するステップＳ１２６０とを含む。
【００６４】
［動作］
本実施の形態に係る画像形成装置１００は以下のように動作する。以下の説明では、画像形成装置１００の動作の内、本発明に関連する部分のみを説明する。他の動作は従来の画像形成装置の動作と同様である。
【００６５】
図２を参照して、画像形成装置１００の操作パネル１４２には予めメニュー画面３００が表示されているものとする。画像形成装置１００が提供する地図データのプリントサービスを利用するために、利用者が地図プリント選択ボタン３１０を操作すると、当該画像形成装置１００は操作パネル１４２に操作画面を表示する（図４に示すステップＳ１０００）。画像形成装置１００は、この操作画面において利用者による地点（地域）の指定及び縮尺の指定を受付ける。
【００６６】
図５を参照して、操作画面４００において、領域４１０に所望の地域の住所等が入力され、領域４２０に縮尺が入力される（ステップＳ１０１０においてＹＥＳ）。地域（地点）及び縮尺が入力されると、画像形成装置１００は、入力された地点及びその地点の周辺の地理的情報が載った基本地図を操作パネル１４２に表示する（ステップＳ１０２０）。例えば図６に示される基本地図が操作パネル１４２に表示される。
【００６７】
操作パネル１４２に基本地図が表示されると、画像形成装置１００は付加情報を選択するための選択画面を操作パネル１４２に表示する。図７を参照して、選択画面５００において、利用者によりボタン５０２が操作されると、図８に示すように、基本地図に店舗情報が表示される。利用者によりボタン５０４が操作されると、図９に示すように、基本地図に観光情報が表示される。画像形成装置１００は、利用者に種々の付加情報を選択させることにより、利用者の好みに合わせてカスタマイズされたカスタム地図を操作パネル１４２に表示する。
【００６８】
表示された地図を印刷する場合、その印刷範囲は操作パネル１４２に表示された範囲となる。表示された範囲内で印刷範囲が利用者によって指定された場合は、指定された範囲が印刷される範囲となる。利用者は操作パネル１４２を操作することによって、印刷範囲を適宜調整できる。例えば地図の表示を拡大又は縮小することにより、印刷範囲を調整できる。地図の表示が拡大又は縮小されると、操作パネル１４２に表示される地図の範囲が変更されるため、それに伴い印刷される範囲も変更される。選択画面５００において決定ボタン５１０が操作されると、画像形成装置１００は表示されている地図のサイズを決定する（ステップＳ１０６０）。
【００６９】
ここで、操作画面４００において指定された縮尺は、操作パネル１４２上での地図の拡大縮小に連動して変更されない。画像形成装置１００の制御部１７０は地図の縮尺と操作パネル１４２に表示されている地図の範囲とに基づいて地図のサイズを算出して決定する。
【００７０】
制御部１７０は、給紙部１６０から給紙トレイ１６２〜１６８に収納されている記録用紙の用紙サイズに関する情報を取得し、決定した地図のサイズが、収納されている記録用紙の最大用紙サイズより大きいか否か、すなわち地図のサイズが１枚の記録用紙に印刷できるサイズであるか否かを判定する。この判定結果に基づいて、制御部１７０は当該地図を分割する必要があるか否かを判定する（ステップＳ１０７０）。地図のサイズが記録用紙の最大用紙サイズより大きい場合、画像形成装置１００は当該地図を複数枚の記録用紙に印刷するために分割する。
【００７１】
具体的には、制御部１７０は利用者による地点の指定が有ったか否かを判定する。利用者によって操作パネル１４２に表示された地図の一部がタッチされた場合、制御部１７０は地点の指定が有ったと判定し、タッチされた位置を指定された地点として設定する（図１０に示すステップＳ１２００においてＹＥＳ）。利用者による地点の指定が無い場合、制御部１７０は表示されている地図の中心を指定された位置として設定する（ステップＳ１２１０）。地図上の地点が指定されると、制御部１７０は指定された地点を含む最低印刷領域を設定する（ステップＳ１２２０）。最低印刷領域が設定されると、制御部１７０は、地図を印刷したときに１枚の記録用紙に含まれる最低印刷領域の面積が最も大きくなるように記録用紙の用紙サイズ及び記録用紙のレイアウトを選択し、選択した用紙サイズ及びレイアウトに基づいて地図を分割するように設定する（ステップＳ１２３０）。
【００７２】
図１１及び図１２には、地図のサイズがＡ２サイズ、最低印刷領域がＡ４サイズの例が示されている。図１１を参照して、利用者によって例えば地点Ａが指定された場合、制御部１７０は地点Ａを含む最低印刷領域６００を設定する。地図を印刷したときに１枚の記録用紙に含まれる最低印刷領域６００の面積が最も大きくなるように地図を分割する方法は、給紙部１６０に収納されている記録用紙の用紙サイズ等に応じて複数通り存在することがある。給紙部１６０に収納されている記録用紙の最大用紙サイズがＡ３サイズである場合、例えば（１）Ａ４用紙×２枚、Ａ５用紙×４枚、又は（２）Ａ３用紙×１枚、Ａ５用紙×４枚等の複数通りの分割方法が考えられる。この場合、制御部１７０は記録用紙の使用枚数が少ない分割方法（例えばＡ３用紙×１枚、Ａ５用紙×４枚）を採用する。そのため、この場合、制御部１７０は、分割線７００、分割線７０２、分割線７０４及び分割線７０６で地図を分割するよう設定する。
【００７３】
図１２を参照して、利用者によって例えば地点Ｂが指定された場合、制御部１７０は地点Ｂを含む最低印刷領域６１０を設定する。同様に、給紙部１６０に収納されている記録用紙の最大用紙サイズがＡ３サイズである場合、地図を印刷したときに１枚の記録用紙に含まれる最低印刷領域６１０の面積が最も大きくなるように分割する方法は、Ａ３用紙×２枚となる。そのため、この場合、制御部１７０は分割線７１０で地図を分割するよう設定する。この場合は、図１１に示した例とは異なり、１枚の記録用紙（Ａ３用紙）に最低印刷領域６１０が収まっていない。しかし、給紙部１６０に収納されている記録用紙を用いて地図を印刷したときに１枚の記録用紙に含まれる最低印刷領域６１０の面積が最も大きくなる分割方法を採用することにより、指定された地点又はその近辺の位置で分割され難くなる。
【００７４】
分割箇所は利用者によって変更可能である。そのため、分割方法が設定されると、制御部１７０は設定された分割方法でよいか否かについて利用者に問合わせる画面（図示せず。）を操作パネル１４２に表示させる。この問合わせに対する利用者の回答（操作）が設定された分割方法でよいというものである場合（ステップＳ１２４０においてＹＥＳ）、制御部１７０は設定された分割方法で地図を分割する（ステップＳ１２６０）。一方、問合わせに対する利用者の回答（操作）が設定された分割方法ではよくないというものである場合（ステップＳ１２４０においてＮＯ）、制御部１７０は最低印刷領域の設定を解除し、利用者による分割箇所の指定を受付ける。利用者によって分割箇所が指定されると、制御部１７０は指定された位置で分割するように分割方法を設定する（ステップＳ１２５０）。そして、制御部１７０は設定された分割方法で地図を分割する（ステップＳ１２６０）。
【００７５】
図１３には、図１２に示された状態から利用者によって分割箇所が変更された例が示されている。図１３を参照して、最低印刷領域の設定が解除され、利用者によってＡ２サイズの地図がＡ４用紙×４枚となるように分割方法が設定されている。この場合、制御部１７０は利用者の操作によって設定された分割線７２０及び分割線７２２で地図を分割する。なお、利用者によって分割線が設定される場合、分割線が有効に設定されるためには、設定される分割線で囲まれる各領域のサイズが、画像形成装置１００において印刷出力が可能な用紙サイズ（給紙部１６０に収納されている記録用紙の用紙サイズ）以下となる条件を満たす必要がある。
【００７６】
続いて制御部１７０は、利用者による出力サイズを変更する操作が有ったか否かを判定する（図４に示すステップＳ１０９０）。出力サイズが変更された場合であっても、基本地図のサイズ自体（地図の縮尺）は変更されない。そのため、出力サイズを変更する操作が有った場合（ステップＳ１０９０においてＹＥＳ）、基本地図の周囲に空きスペースが生じる。この空きスペースに他の情報を配置することが可能である（ステップＳ１０３０においてＹＥＳ、及びステップＳ１０４０）。
【００７７】
図１４を参照して、例えばカスタム地図を１枚の記録用紙に印刷することが可能な場合に、出力サイズを記録用紙のサイズより大きくすることによって、空きスペース８００〜８０４が確保される。この空きスペース８００〜８０４に別の地域の地図を配置したり、店舗に関する情報（例えば住所、電話番号、おすすめの料理等）又はクーポン等を付加したりすることが可能である。
【００７８】
出力サイズを変更する操作が無い場合（図４に示すステップＳ１０９０においてＮＯ）であって、印刷開始を指示する操作が利用者によってなされると（ステップＳ１１００においてＹＥＳ）、制御部１７０は地図データを画像形成部１５０に出力して、画像形成部１５０に印刷処理を実行させる（ステップＳ１１１０）。基本地図に付加情報が付加されている場合、制御部１７０はカスタム地図の地図データを出力する。カスタム地図が分割されている場合、当該カスタム地図は複数枚の記録用紙に分割されて印刷される。
【００７９】
図１５及び図１６には、カスタム地図の印刷出力例が示されている。図１５を参照して、この例では、２つの地域の地図に店舗情報及び観光地情報を付加したＡ３サイズのカスタム地図が分割線７３０でＡ４用紙×２枚に分割されて印刷されている。図１６を参照して、この例では、Ａ２サイズのカスタム地図が、分割線７４０、分割線７４２、分割線７４４及び分割線７４６でＡ３用紙×１枚、Ａ５用紙×４枚に分割され、最低印刷領域６２０が確保された形（Ａ３用紙内に収まった形）で印刷されている。
【００８０】
なお、基本地図に付加情報が付加されていない場合は基本地図のみが印刷される。
【００８１】
［作用・効果］
以上の説明から明らかなように、本実施の形態に係る画像形成装置１００を利用することにより、以下に述べる効果を奏する。
【００８２】
画像形成装置１００は、利用者によって指定された地点及び当該地点の周辺の地理的情報が載った基本地図を操作パネル１４２に表示する。画像形成装置１００は、基本地図に付加する付加情報を利用者に選択させ、選択された付加情報を基本地図に表示する。これにより、利用者の好みに合わせてカスタマイズされたカスタム地図を表示できる。画像形成装置１００はさらに、表示されたカスタム地図を複数枚の記録用紙に分割して印刷するために、カスタム地図を、利用者により指定された地点以外の位置で分割してその地図データを出力する。
【００８３】
本画像形成装置１００によれば、利用者が求める地図をカスタム地図として当該利用者に提供できる。利用者は、フォーマットの異なる複数の地図を見比べる必要がないので、そうした作業に起因するストレスの発生を抑制できる。さらに、表示されたカスタム地図を複数枚の記録用紙に分割して印刷する際に、利用者により指定された地点で分割されないため、よみ見やすい形でカスタム地図を印刷できる。
【００８４】
付加情報は、店舗情報、観光情報、及び基本地図に対して縮尺が変更された縮尺別の地図を含む。これにより、基本地図に情報を付加して地図をカスタマイズする際に、例えば店舗情報のみを付加したい、観光情報と縮尺別の地図を付加したい等、利用者個々のニーズに合わせて情報量や情報の組合せを自由にカスタマイズできる。
【００８５】
表示されたカスタム地図を分割する際、制御部１７０は、利用者によって指定された地点を含む矩形状の最低印刷領域を設定し、分割されたカスタム地図の一部に最低印刷領域が含まれるように当該カスタム地図を分割する。すなわち、制御部１７０は、地図を印刷したときに１枚の記録用紙に最低印刷領域の全てが含まれるように当該カスタム地図を分割する。これにより、利用者により指定された地点及びその近辺で地図が分割されるのを抑制できる。なお、収納されている記録用紙の用紙サイズ等との関係で、地図を印刷したときに１枚の記録用紙に最低印刷領域の全てが含まれるように当該地図を分割することが困難な場合もある。そのような場合であっても、１枚の記録用紙に含まれる最低印刷領域の面積が最も大きくなるように分割する方法を採用することにより、指定された地点又はその近辺で地図が分割され難くなる。
【００８６】
本画像形成装置１００はまた、カスタム地図を複数枚の記録用紙に分割して印刷する場合に、複数枚の同一用紙サイズの記録用紙に分割して印刷することも可能であり、異なる用紙サイズの記録用紙を含む複数枚の記録用紙に分割して印刷することも可能である。
【００８７】
さらに本画像形成装置１００は、操作パネル１４２に複数の基本地図を表示して、複数の基本地図に対して異なる付加情報を表示することもできる。この場合、図１５に示すように、例えば２つの地域の地図に店舗情報及び観光地情報を付加したカスタム地図を複数枚の記録用紙に分割して印刷することもできる。さらに、複数枚の記録用紙に印刷される地図情報は、必ずしも１つの地域の地図を分割したものではなく、ある地域を住宅地図のみ、店舗情報が記載された地図、観光情報が記載された地図等の数パターンに分けて印刷することも可能である。
【００８８】
さらに画像形成装置１００は、利用者によるカスタム地図の分割方法の指定を受付け、受付けた分割方法に基づいてカスタム地図を分割することもできる。これにより、利用者の好みに応じて地図を分割できる。
【００８９】
（第２の実施の形態）
図１７を参照して、本実施の形態に係る画像形成装置１１００は、基本地図に付加する付加情報に応じて課金を行なう点において、第１の実施の形態に係る画像形成装置１００と異なる。そのため、本実施の形態に係る画像形成装置１１００は、図３に示される制御部１７０及び課金装置２００に代えて、それぞれ制御部１１７０及び課金装置１２００を含む。その他の点では、各画像形成装置は同一の構成である。
【００９０】
本画像形成装置１１００では、地図データのプリントサービスの基本料金、及び付加情報毎の料金が予め設定されている。画像形成装置１１００は、選択画面５００（図７参照）において付加情報が選択されると、選択された付加情報に応じて課金する。課金装置１２００は、基本料金に付加情報の料金を加算した料金が投入されたことを検出すると、その検出結果を制御部１１７０に送信する。制御部１１７０は、課金装置１２００から送信された検出結果に応じて、地図データのプリントサービスの提供を継続する。
【００９１】
このように、本実施の形態では、選択画面５００を介して選択された付加情報に応じて課金することにより、個々の利用者にとって適正な価格を実現できる。
【００９２】
（第３の実施の形態）
本実施の形態に係る画像形成装置は、カスタム地図に対して広告等を付加できる点において、第１の実施の形態に係る画像形成装置１００と異なる。その他の点では、各画像形成装置は同一の構成である。
【００９３】
本画像形成装置は、例えば選択された付加情報に応じて自動的に広告等を選択してカスタム地図に表示する。カスタム地図に表示される広告等には、店舗の広告、クーポン等が含まれる。こうした広告等は、例えばカスタム地図に重ねて表示される。表示位置は、利用者によって自由に設定される。出力サイズの変更によって空きスペースが生じている場合は、そうした空きスペースに店舗の広告等を配置することも可能である。
【００９４】
広告等を付加するか否かを利用者に選択させるようにしてもよい。この場合、広告等の付加に応じて、サービス料金の割引等を行なうようにしてもよい。
【００９５】
（第４の実施の形態）
本実施の形態に係る画像形成装置は、地図を分割する際に利用者による用紙サイズの指定を受付ける点において、第１の実施の形態に係る画像形成装置１００と異なる。その他の点では、各画像形成装置は同一の構成である。
【００９６】
第１の実施の形態に係る画像形成装置１００では、地図を分割する方法が複数通り存在する場合に、記録用紙の使用枚数が少ない分割方法を採用するように構成されていた。本実施の形態では、地図を分割する方法が複数通り存在する場合、利用者による用紙サイズ（分割方法）の指定を受付ける。例えば、Ａ２サイズの地図をＡ３用紙×１枚とＡ４用紙×２枚とに分ける等のカスタマイズする地図情報に応じて利用者が用紙サイズを指定できる。
【００９７】
本実施の形態ではさらに、地図を分割する方法が複数通り存在する場合に、おすすめの分割方法を利用者に提案する。具体的には、例えば記録用紙の使用枚数が少ない分割方法をおすすめの分割方法として操作パネルに表示する。料金の少ない分割方法をおすすめの分割方法として提案する構成であってもよい。
【００９８】
（第５の実施の形態）
図１８を参照して、本実施の形態に係る情報処理装置２０００は、例えば１０インチ程度の表示画面を持つタブレット型の端末機器（タブレット端末）である。この情報処理装置２０００は、ユーザインターフェイスとして、例えばタッチパネルディスプレイ等の操作表示装置を含む。情報処理装置２０００はまた、有線又は無線（本実施の形態では無線）により画像形成装置３０００と通信する。画像形成装置３０００は、第１の実施の形態に係る画像形成装置１００と同様、複合機からなる。画像形成装置３０００は、例えばコンビニエンスストア等の店舗に設置されている。
【００９９】
本実施の形態に係る情報処理装置２０００は、第１の実施の形態に係る画像形成装置１００において行なわれる地図情報の処理と同様の処理を実行する。すなわち、本実施の形態に係る情報処理装置２０００は、画像形成装置１００が持つ情報処理装置としての機能と同様の機能を持つ。情報処理装置２０００は、ユーザの操作に応じてカスタム地図の作成処理、及び地図の分割処理等を実行する。こうした処理は、情報処理装置２０００にインストールされたアプリケーションソフトによって行なわれる。なお、基本地図に付加する付加情報が選択されない場合、情報処理装置２０００は付加情報が表示されていない地図（基本地図（例えば住宅地図等））を作成する。
【０１００】
情報処理装置２０００はさらに、作成した地図の地図データを図示しない記憶装置に記憶する。記憶装置に記憶された地図は、店舗に設置された画像形成装置３０００を用いて印刷することができる。
【０１０１】
画像形成装置３０００を用いて地図データを印刷する場合、情報処理装置２０００のユーザは、当該情報処理装置２０００を画像形成装置３０００に接続し、地図データの印刷開始の操作を行なう。情報処理装置２０００は、印刷開始の操作に応答して、画像形成装置３０００に対して地図データを出力する。画像形成装置３０００は、情報処理装置２０００からの地図データを受信し、受信した地図データが示す地図を記録用紙に印刷する。地図データが示す地図が分割されている場合、画像形成装置３０００は複数枚の記録用紙に分割して地図を印刷する。
【０１０２】
（変形例）
上記実施の形態では、画像形成装置の一例である複合機（ＭＦＰ）に本発明を適用した例について示したが、本発明はそのような実施の形態には限定されない。画像形成装置は、複合機以外の例えばプリンター等であってもよい。
【０１０３】
上記実施の形態では、基本地図のデータ及び付加情報を画像形成装置が予め保持する例について示したが、本発明はそのような実施の形態には限定されない。画像形成装置は、基本地図のデータ及び付加情報等を例えばネットワーク上のデータベースから取得するよう構成されていてもよい。
【０１０４】
上記実施の形態では、画像形成装置の課金装置にコインベンダーを用いた例について示したが、本発明はそのような実施の形態には限定されない。課金装置はコインを投入するコインベンダー以外であってもよい。例えばプリペイドカード方式の課金装置であってもよいし、電子マネーを利用する方式の課金装置であってもよい。さらに課金装置を備えない構成であってもよい。
【０１０５】
上記実施の形態において基本地図は住宅地図以外であってもよい。基本地図は地理的情報のみが記載されたものであるのが好ましいが、一部に地理的情報以外の情報が記載されていてもよい。
【０１０６】
上記実施の形態では、付加情報が、店舗情報、観光情報、及び縮尺別の地図を含む例について示したが、本発明はそのような実施の形態には限定されない。付加情報はこれらの情報のうちの少なくとも１つを含む構成であればよい。また、付加情報はこれらの情報以外の情報であってもよいし、これらの情報以外の情報をさらに含む構成であってもよい。店舗情報、観光情報等の付加情報は複数の情報に分かれていてもよい。付加情報はまた、さらに詳細な情報を選択可能に構成されていてもよい。例えば、店舗情報を選択した場合に、店舗情報のさらに詳細な情報（例えば飲食店情報、百貨店情報等）を選択可能に構成されていてもよい。
【０１０７】
上記実施の形態では、地図自体が最低印刷領域の情報を持つデータ構成となっており、地点が指定されたことに応じて最低印刷領域を自動的に設定する例について示したが、本発明はそのような実施の形態には限定されない。最低印刷領域は利用者によって設定される構成であってもよい。
【０１０８】
最低印刷領域が自動的に設定される場合、画像形成装置は、指定された地点が最低印刷領域の中央部分に位置するように当該最低印刷領域を設定するよう構成されていると好ましい。さらに画像形成装置は、付加情報との関係で最低印刷領域を設定する位置を自動的に調整するように構成されているとより好ましい。この場合は指定された地点が必ずしも最低印刷領域の中央部分にくるとは限らない。最低印刷領域の大きさは、予め設定されていてもよいし、分割方法、用紙サイズ等に応じて自動的に変更されるように構成されていてもよい。
【０１０９】
上記第５の実施の形態では、タブレット端末からなる情報処理装置に本発明を適用した例について示したが、本発明はそのような実施の形態には限定されない。情報処理装置はタブレット端末以外の装置であってもよい。こうした装置としては、例えば、スマートフォン、パーソナルコンピュータ等が挙げられる。
【０１１０】
上記第５の実施の形態では、情報処理装置から画像形成装置に対して直接地図データを送信（出力）する例について示したが、本発明はそのような実施の形態には限定されない。情報処理装置から出力された地図データは、例えばネットワーク上のサーバ装置を介して画像形成装置に送信される構成であってもよい。
【０１１１】
上記で開示された技術を適宜組合せて得られる実施の形態についても、本発明の技術的範囲に含まれる。
【０１１２】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【０１１３】
１００                        画像形成装置
１１０                        装置本体
１２０                        原稿載置台
１３０                        原稿読取部
１４０                        操作部
１４２                        操作パネル
１５０                        画像形成部
１６０                        給紙部
１７０、１１７０              制御部
１７８                        記憶装置
１８０                        画像処理部
２００、１２００              課金装置
５００                        選択画面
６００、６１０、６２０        最低印刷領域
２０００                      情報処理装置
【図１】
2015141268.tif 000003
【図２】
2015141268.tif 000004
【図３】
2015141268.tif 000005
【図４】
2015141268.tif 000006
【図５】
2015141268.tif 000007
【図６】
2015141268.tif 000008
【図７】
2015141268.tif 000009
【図８】
2015141268.tif 000010
【図９】
2015141268.tif 000011
【図１０】
2015141268.tif 000012
【図１１】
2015141268.tif 000013
【図１２】
2015141268.tif 000014
【図１３】
2015141268.tif 000015
【図１４】
2015141268.tif 000016
【図１５】
2015141268.tif 000017
【図１６】
2015141268.tif 000018
【図１７】
2015141268.tif 000019
【図１８】
2015141268.tif 000020